(57)【要約】【課題】イオン発生器による清浄な空気を保管棚の内部空間を循環させることにより、外気の吸入を最小限にとどめ、最小限の送風ファン及びイオン発生器により、カビの発生や繁殖を効果的に抑制する。【解決手段】本体が上面、底面、左右両側面及び背面からなり、概略直方体の前面を開口とし、内部空間を複数の棚板で分割してなる保管棚において、左右両側面及び背面のいずれか一方に、保管棚の内部空間内に連通する吸い込み口、いずれか他方に、内部空間に連通する吹き出し口を配設し、吸い込み口と吹き出し口を保管棚本体内に設けた風路により接続するとともに、該風路の内部に送風機及びイオン発生器を順に設け、正負イオンを含む空気を、吹き出し口を介し棚板で分割された各棚空間に吹き出すようにした。【選択図】図１
2011147575.tif 000002
【特許請求の範囲】
【請求項１】
本体が上面、底面、左右両側面及び背面からなり、概略直方体の前面を開口とし、内部空間を複数の棚板で分割してなる保管棚において、
前記左右両側面及び背面のいずれか一方に、前記内部空間内に連通する吸い込み口、いずれか他方に、前記内部空間に連通する吹き出し口を配設し、該吸い込み口と吹き出し口を前記書籍棚の本体に設けた風路により接続するとともに、該風路の内部に送風機及びイオン発生器を順に設け、正負イオンを含む空気を、前記吹き出し口を介し前記棚板で分割された各棚空間に吹き出すようにしたことを特徴とする空気清浄機能付き保管棚。
【請求項２】
請求項１に記載の空気清浄機能付き保管棚において、
前記吸い込み口を前記左右両側面に、前記吹き出し口を前記背面に配設し、前記送風機から前記吹き出し口に到る送風経路を、前記背面に一経路のみ配設したことを特徴とする空気清浄機能付き保管棚。
【請求項３】
前記棚板のそれぞれに重量センサーを設け、各棚空間の保管量に応じて、前記吹き出し口からの送風量を調節するようにしたことを特徴とする請求項１または２に記載の空気清浄機能付き保管棚。
【請求項４】
前記吹き出し口に可動ルーバーを設置し、前記重量センサーの信号に応じて、ルーバーを制御して送風量を調節することを特徴とする請求項３に記載の空気清浄機能付き保管棚。
【請求項５】
前記吸い込み口にも可動ルーバーを設置し、前記重量センサーの信号に応じて、前記吹き出し口に設置した可動ルーバーと連動して、前記吸い込み口に設置した可動ルーバーを制御して、吸い込み量を調節することを特徴とする請求項４に記載の空気清浄機能付き保管棚。
【発明の詳細な説明】
【技術分野】
【０００１】
本発明はイオンによる殺菌効果を応用する空気清浄機能付き保管棚に関するものである。
【背景技術】
【０００２】
例えば、図書館や書籍保管室等は、人の出入りがそれほど多くなく、また、通常、大量の書籍を本棚等に並べて保存していることもあり、一般的な空気調和が行われていても空気が淀んでいる箇所が多く存在する。
そのため、人の出入り、あるいは貸し出された本の返却等によりカビ菌等が持ち込まれると、その中で滞留してしまう可能性があり、滞留してしまうとカビ菌等が他の本にも付着して、繁殖する可能性が高くなり、特に、ほとんど移動されることのない書籍等の裏は、カビ菌の温床となってしまう。
【０００３】
この問題を解決する手段として、下記特許文献１に開示されているように、本棚本体の上部にフィルターによる空気清浄機を取り付け、支柱の穴から各棚に清浄な空気を送る方法がある。しかし、この方法では、本棚本体の上部から外気を取り込んでいるため空気清浄機自体の容量を大きなものにせざるを得ず、また、フィルターを頻繁に洗浄あるいは交換しなければならない。
また、複数の各支柱を風路とし、その支柱の穴を吹き出し口としているため、送風機から離れた収納棚空間、例えば、最下段棚へも清浄な空気を送るには、能力の大きい送風機が必要になり、棚全体の大型化につながる。
さらに、フィルターを通過せず、棚空間へ直接、菌などで汚染された空気が入ってきた場合は、その菌を除去することはできない。
【０００４】
他の解決手段としては、下記特許文献２に開示されているように、イオンによる空気浄化を用いた方法がある。この方法では、書籍の棚１スペースにつき、送風ファンとイオン発生機を内蔵させ、それを数段重ね合わせることにより、図書館のような大量の書籍収納にも対応できるようにしているが、その場合、送風ファンとイオン発生機が複数個必要になり、コスト的に問題がある。
【先行技術文献】
【特許文献】
【０００５】
【特許文献１】特開２００１−９５６３２号公報
【特許文献２】特開２００６−６５２３９号公報
【発明の概要】
【発明が解決しようとする課題】
【０００６】
本発明は、書籍棚のように空気がよどみ易く、そのためにカビが発生するなどで貴重な書籍や物品を汚損する可能性を持つ保管棚において、イオン発生器による清浄な空気を、保管棚等の内部空間を循環させることにより、外気の吸入を最小限にとどめ、最小限の送風ファン及びイオン発生器により、カビの発生や繁殖を効果的に抑制することができる空気清浄機能付き保管棚の提供を目的とする。
【課題を解決するための手段】
【０００７】
上記の課題を解決するため、本発明の空気清浄機能付き保管棚は、次のような構成を備えている。すなわち、
（１）本体が上面、底面、左右両側面及び背面からなり、概略直方体の前面を開口とし、内部空間を複数の棚板で分割してなる保管棚において、前記左右両側面及び背面のいずれか一方に、前記内部空間内に連通する吸い込み口、いずれか他方に、前記内部空間に連通する吹き出し口を配設し、該吸い込み口と吹き出し口を前記保管棚の本体内に設けた風路により接続するとともに、該風路の内部に送風機及びイオン発生器を順に設け、正負イオンを含む空気を、前記吹き出し口を介し前記棚板で分割された各棚空間に吹き出すようにした。
【０００８】
（２）上記の空気清浄機能付き保管棚において、前記吸い込み口を前記左右両側面に、前記吹き出し口を前記背面に配設し、前記送風機から前記吹き出し口に到る送風経路を、前記背面に一経路のみ配設した。
【０００９】
（３）上記の空気清浄機能付き保管棚において、前記棚板のそれぞれに重量センサーを設け、各棚空間の保管量に応じて、前記吹き出し口からの送風量を調節するようにした。
【００１０】
（４）さらに、上記の空気清浄機能付き保管棚において、吹き出し口に可動ルーバーを設置し、前記重量センサーの信号に応じて、ルーバーを制御して送風量を調節するようにした。
【００１１】
（５）前記吸い込み口にも可動ルーバーを設置し、前記重量センサーの信号に応じて、前記吹き出し口に設置した可動ルーバーと連動して、前記吸い込み口に設置した可動ルーバーを制御して吸い込み量を調節するようにした。
【発明の効果】
【００１２】
本発明のイオン発生器は、棚空間に正イオンＨ＋（Ｈ２Ｏ）ｍ（ｍは０または任意の自然数）と負イオンＯ２−（Ｈ２Ｏ）ｎ（ｎは０または任意の自然数）を放出して、両イオンが付着した物質表面で起こす化学反応による殺菌効果によって、書籍や物品に付着または堆積するカビ菌等を殺菌除去するものである。
したがって、上記（１）の構成によれば、殺菌除去効果の高い、正負イオンを含む空気を、保管棚の左右両側面及び背面のいずれか一方に配設した吸い込み口と、いずれか他方に配設し吹き出し口、及びこれらを連通する本体内の風路により、保管棚の内部空間を循環させ、外気の取り込みを最小限にとどめた上で、各棚空間にまんべんなく送風することができ、最小限の送風ファン及びイオン発生器により高い除菌効果を達成し、書籍や物品へのカビ付着や繁殖を確実に防止することができる。
【００１３】
上記（２）の構成によれば、正負イオンを含む空気を、背面に一経路のみ設けた吹き出し口を介して吹き出させ、左右両側面の吸い込み口から吸入することにより、さらに円滑な循環流を形成することができる。
【００１４】
上記（３）の構成によれば、棚板のそれぞれに設けた重量センサーにより、各棚空間の書籍、物品の有無、量及び密度を検出し、正負イオンを含む空気の無駄を最小限にしつつ、書籍、物品の量、載置状態に応じて各棚に最適な風量を送風することが可能になる。
【００１５】
上記（４）の構成によれば、可動ルーバーの開度を制御することにより、書籍、物品の量、載置状態に応じて、各棚への正負イオンを含む空気をきめ細かく最適に配分して送風することが可能になる。
【００１６】
さらに上記（５）の構成によれば、吹き出し口に設置した可動ルーバーと連動して、吸い込み口に設置した可動ルーバーが開閉制御されて、吸い込み量が調節されるので、吹き出し停止時、吸い込み口から外気が吸い込まれるのを防止することができる。
【図面の簡単な説明】
【００１７】
【図１】本発明の実施例である空気清浄機能付き書籍棚の外観図を示す。
【図２】本発明の実施例である空気清浄機能付き書籍棚の側面図を示し、（ａ）はシートスイッチ方式、（ｂ）はマイクロスイッチ方式を示す。
【図３】本発明の実施例である空気清浄機能付き書籍棚上部のイオン送風空間部分を示し、（ａ）は透視図、（ｂ）は部分側面図である。
【図４】本発明の実施例である空気清浄機能付き書籍棚の制御ブロックを示す。
【図５】間欠運転の例を示し、（ａ）〜（ｃ）は、それぞれ例１〜例３を示す。
【図６】本発明の実施例である空気清浄機能付き書籍棚に採用した重量センサーの例を示し、（ａ）シートスイッチ構造、（ｂ）マイクロスイッチ方式１、（ｃ）マイクロスイッチ方式２を示す。
【発明を実施するための形態】
【００１８】
以下、本発明を書籍棚に適用した場合の実施例を、図面を参照しつつ説明する。
【実施例】
【００１９】
図１に、本発明の実施例である空気清浄機能付き書籍棚の外観図を示す。
書籍棚１本体は、通常の書籍棚と同様に、上面４、底面１９、左右両側面１３及び背面１１の５面によって囲まれた箱の形状をしており、その内部空間には、棚板２が複数個設置され、棚空間３が複数数形成されている。
【００２０】
書籍棚１本体の上面４、左右両側面１３及び背面１１は２重壁構造となっており、図２（ａ）に示されるように、上面４の２重壁構造内部に送風機（例えば、クロスフローファン）５、フィルター６、正負イオン発生器７及び制御回路１０等が収納されている。
なお、制御回路１０は、送風機５の送風量、正負イオン発生器７によるイオン発生量、及び、後述するように各棚板２に設けた重量センサー１５からの入力を受けて吹き出し口ルーバー９を制御するものである。また、送風機５、正負イオン発生器７は、上面４の２重壁構造内部に設けられた例えば合成樹脂製のダクトの内部に配置されており、このダクトの上流端にフィルター６が設けられている。
【００２１】
図３に示されるように、２重壁構造の背面１１内部のほぼ中央部には、やはり合成樹脂製等により風路１２が形成されており、上面４の２重壁構造内部に設けられたダクトと接続され、送風機５からの送風を送る風路１２と、各棚空間３への開口部、すなわち吹き出し口８が配設されている。なお、吹き出し口８の開口面積は、各棚空間３毎に等量の風量が均等に分配されるように、送風機５に近い部分ほど、すなわち、上方の棚空間ほど小さくなるように、その大きさが調整されており、各棚空間３毎に配設された吹き出し口８には、それぞれルーバー９が設けられており、各棚空間３への送風量が均等になるよう調整できるようになっている。
【００２２】
そして、２重壁構造の左右両側面１３には、風路１６と吸い込み口１４が配設されており、この吸い込み口１４には格子状に切られたグリルが設けられ、大きなホコリ等は、ここで捕集されることになる。なお、風路１６は、送風機５、正負イオン発生器７が内部に配置された上面4内のダクトに接続されるもので、合成樹脂等で形成してもよいし、２重壁構造の左右両側面１３内部空間を利用してもよい。また、特に風路１２、１６については、合成樹脂製のパイプ状のものとすれば、書籍棚の２重壁構造の密閉性や形状などに左右されず、容易に風路を形成することができ、しかも、例えば、書籍棚１本体の背面にパイプ状の風路を沿わせることで、通常の書籍棚にも簡単に後付けすることが可能となる。
【００２３】
このように、正負イオン発生器７により発生された正負イオンを含む空気は、送風機５により、背面１１に各棚空間３に対応して配設された吹き出し口８から吹き出され、各棚空間３、左右両側面１３の吸い込み１４、左右両側面１３の風路１６、上面４及び背面１１の２重壁構造に形成された風路１２を経て、再び背面１１に配設された吹き出し口８に戻り、正負イオンを含む空気が書籍棚１の内部空間及び本体を循環する循環経路が形成されることになる。
【００２４】
一方、各棚板２には、重量センサー１５が取り付けられており、各棚板２に載置された書籍の有無、書籍量及び密度を感知するようになっている。重量センサー１５としては、図６（ａ）に示すように、「シートスイッチ」と一般的に呼ばれる２枚の導電体間の静電容量変化を検知するものを棚板２に設置する。なお、シートスイッチには静電容量変化の外に単純に２枚の電極間の導通を検知するタイプもあり、どちらも既に市販されているものを使用する。
また、こうしたシートスイッチに換え、図６（ｂ）に示すように、棚板２に凹部を形成してその中にマイクロスイッチ１８を設置して上に載せられた書籍によってマイクロスイッチ１８をオンまたはオフすることで検知してもよい。
【００２５】
さらに、図２（ｂ）、図６（ｃ）に示すように、マイクロスイッチ１８を棚板支持部１７に凹部を形成してその中にマイクロスイッチ１８を設置するか、または棚板支持部１７に直接固定して上に載せられた書籍によってマイクロスイッチ１８をオンまたはオフすることで検知する構造にしてもよい。もちろん、こうしたマイクロスイッチ１８を複数個設置してもよく、その場合、マイクロスイッチ１８により、より的確に書籍が置かれている場所が特定でき、その検知信号により、より効率的に吹き出し口８のルーバー９を制御することができる。
【００２６】
以上の構造からなる空気清浄機能付き書籍棚１は、送風機５が駆動されることにより、各吸い込み口１４から各棚空間３の空気及びその周辺の空気が吸い込まれ、左右両側面内部の風路１６を通って上面４に向かい、フィルター６を経由して送風機５に到る。
【００２７】
送風機５からの空気は、下流側に設けられた正負イオン発生器７から発生している正負イオンを含んだ空気となり、背面１１内部の風路１２を通って、各棚空間３に対応して設けられた吹き出し口８に到り、ここから書籍が保管されている棚空間３に正負イオンを含んだ空気が放出されることになり、その除菌効果によって、書籍が保管されている棚空間３から浮遊菌（カビ菌）が除去され、空気が浄化される。
【００２８】
また、正負イオンのイオン濃度を高濃度にすれば、付着したカビ菌の抑制効果もあるため、もし、カビ菌が付着した書籍が棚空間３に保管されても、高濃度の正負イオンによって、付着カビ菌の成長が抑制され、書籍がカビで汚染されるのを防ぐことができる。
【００２９】
さらに、各棚空間３に対応して側面１３に吸い込み口１４が配設されているため、もし、棚空間３が汚染された空気で充満しても、吹き出し口８からの正負イオン放出による正負イオンの除菌効果と汚染空気の吸い込みという、両面で対応するため、すばやく汚染空気を取り除くことが可能である。なお、吸い込まれた汚染空気は、フィルター６及び送風機５上流の正負イオン発生器７からの正負イオンによって除去、除菌される。
【００３０】
ここで、書籍棚１によっては、各棚板２に載置される書籍量が大きく異なるため、この実施例では、各棚空間３に保管されている書籍量に応じて、重量センサー１５が制御回路１０に信号を送り、そのセンサー信号により、制御回路１９が各吹き出し口８のルーバー９を可変し、送風機５の送風量を制御するようにしている。すなわち、マイクロスイッチ方式のように重量センサー１５からの入力がオン−オフである場合には、ルーバー９を開き、これにより書籍が検出された位置に送風する。その際、シートセンサーのように多値入力が得られる場合には書籍量が多ければ、送風量を多くし、正負イオン量も多くする。
【００３１】
反対に、書籍量が少なければ、ルーバー９を閉じ、送風量を少なくすることにより、必要最低限の正負イオン量が供給されることになる。なお、ルーバー９はステップモータやリンクやカム機構（図示せず）によって開閉度合いを変更できるようになっている。なお、この駆動方法は公知技術によって行うことが可能である。
このようにして、各棚空間３の書籍量に応じて、効率良く空気浄化を行うことができる。
もちろん、簡易な制御を行う場合は、重量センサー１５により、いずれかの棚空間３に書籍が載置されたことが検知された場合に、送風機５及び正負イオン発生器７を作動させ、一律にすべての棚空間３に、所定の時間間隔でイオンを含む空気を送風するようにしてもよい。
【００３２】
また、棚板の横方向が長い場合には、複数の吹き出し口とこれに対応する位置に複数の重量センサー１５を設置し、個々の重量センサー１５が書籍の存在を検知した部分にのみイオンを含む空気を送風するようにすれば、さらに効率を高めることができる。
【００３３】
さらに、書籍棚１は保管棚でもある性質上、長期の運転が望まれるので、運転は間欠運転として省エネルギーを図ることも可能である。例えば、図５（ａ）に示すように、１時間に５分程度の連続運転をするような形態や、図５（ｂ）に示すように、５分毎に２分間程度の運転を間欠的に繰返す形態、さらにこれらを組み合わせて、図５（ｃ）に示すように１時間に５分間程度、１分毎にオン／オフを繰り返す形態など、周囲の状況に合わせて様々な運転形態が考えられる。これらは既に実用化されている方法によって、制御回路１０に具備される運転設定手段を介して行われるように構成する。
【００３４】
以上のように、本実施例の書籍棚１においては、本体を構成する２重壁構造の空間内部に、正負イオンを発生させるイオン発生器７、そのイオンを送風するための送風機５、そして正負イオンを含む空気が通る風路１２、１６を形成し、左右両側面１３、すなわち各棚空間３の側面に吸い込み口１４、背面１１、すなわち各棚空間３の奥面に吹き出し口８から棚空間３及びその周辺部の空気を吸い込み、各棚空間３の奥面から側面に向けて正負イオンを放出するので、書籍棚１を単体としてコンパクトに設計することができる。
【００３５】
なお、送風機５は、書籍棚１の上面４の２重壁構造内部にコンパクトに収容され、その上流側にフィルター６、下流側に正負イオン発生器７が配置されており、送風機５からの送風により、フィルター６で塵埃を除去された空気が、正負イオン発生器７から放出された正負イオンをのせて、書籍棚１の背面１１に設置された風路１２を通り、各棚空間３につながる吹き出し口８から放出されるので、正負イオンを各棚空間３の全体にまんべんなく行き渡らせることができる。
【００３６】
また、各棚空間３を通過した空気は、書籍棚１の側面１３に、各棚空間３に対応して配設された吸い込み口１４に円滑に吸い込まれ、書籍棚１の側面１３内部に設置された風路１６を通り、書籍棚１上面４の送風機５に再び循環する。
したがって、送風機５は、新規に取り込む外気を最小限に低減した上で、各棚空間の内部及びその周辺部の空気を吸い込み、その空気に正負イオンをのせて、各棚空間３に放出されるので、正負イオンを高濃度に維持することができる。
このように、各棚空間３の奥面から正負イオンが放出されることにより、各棚空間３内の浮遊菌は効率よく除去され、空気が清浄化され、さらに、側面１３の吸い込み口１４から周辺の空気が吸い込まれるため、もし、浮遊菌等の汚染空気が棚空間３に直接入ってきても、すぐに、その汚染空気が吸引され、フィルター６及び正負イオン発生器７から放出される正負イオンにより殺菌されることになる。
【００３７】
なお、各棚空間３に対応して配設された吹き出し口８から棚の開口部までは、数十センチの奥行きしかないため、大きな風量がなくても、十分に各棚空間に正負イオンを届けることが可能である。結果、送風機の能力を大きくする必要がなく、書籍棚の大型化を抑えることができる。
また、各棚空間に重量センサーを取り付けることにより、棚空間の書籍量を感知し、その書籍量に応じた最適のイオン量・風量を各棚空間に届けることができる。
【００３８】
以上の実施例では、書籍棚１の側面１３に吸い込み口１４、背面１１に吹き出し口８を設けたが、書籍棚１の側面１３に吹き出し口８、背面１１に吸い込み口１４を設けてもよい。
また、吸い込み口１４にもルーバーを設け、吹き出し口８に設けたルーバー９と連動させて開閉することにより、ルーバー９を開き、吹き出し量を増やす棚空間３については、この棚空間３の吸い込み口１４に設けたルーバーも連動して開き、これに見合う空気を吸い込むようにしてもよい。
【００３９】
その際、制御回路１０により、書籍がまったく載置されていない棚空間３については、吹き出し口８に設けたルーバー９も吸い込み口１４に設けたルーバーも完全に閉鎖するようにすれば、送風機５の回転数、イオン発生器７によるイオン発生量を必要最小限にとどめることができ、省エネとなる。しかも、送風が行われない棚空間３の吸い込み口１４から不要な外気が入り込むのを防止することができる。
【００４０】
ただし、書籍がまったく載置されていない棚空間３についても、長時間にわたり正負イオンによる殺菌がなされないと、この棚空間３に浮遊菌等が滞留し、新たにこの棚空間３に載置された書籍や他の棚空間に保管された書籍に浮遊菌等が付着し、繁殖するおそれがある。
そこで、書籍がまったく載置されていない棚空間３についても、例えば、２時間毎に数分といったように、吹き出し口８に設けたルーバー９及び吸い込み口１４に設けたルーバーの双方を間欠的に開放し、正負イオンによる殺菌を行うことが好ましい。
【００４１】
この場合、制御回路１０により、各棚空間３に取り付けた重量センサー１５の検出値に基づく各棚空間毎の書籍量に応じ、書籍量が多い棚空間３に正負イオンを含む空気が送風されるタイミングのうち、送風間隔が２時間程度になるタイミングに同期させて、書籍が載置されていない棚空間３に対応する両ルーバーを開放するようにすればよい。
【００４２】
以上の実施例では本発明を書籍棚に適用した場合を示したが、書籍棚のみならず、古文書、美術工芸品、採掘品などを収容する保管棚にも広く適用できることはいうまでもない。
【産業上の利用可能性】
【００４３】
以上のとおり本発明の空気清浄機能付き保管棚によれば、必要最小限の容量の送風機、イオン発生器で、保管棚の内部空間を効率よく除菌し、カビの発生を効果的に抑制でき、コンパクトかつ低コストで省エネ性も高い保管棚として、図書館、美術館、博物館等で広く利用されることが期待される。
【符号の説明】
【００４４】
１：書籍棚本体
２：棚板
３：棚空間
４：書籍棚上部（イオン送風空間部）
５：送風機
６：フィルター
７：イオン発生器
８：吹き出し口
９：吹き出しルーバー
１０：制御回路
１１：書籍棚背面
１２：書籍棚背面風路
１３：書籍棚側面
１４：吸い込み口
１５：重量センサー
１６：側面風路
１７：棚板支持部
１８：マイクロスイッチ
【図１】
2011147575.tif 000003
【図２】
2011147575.tif 000004
【図３】
2011147575.tif 000005
【図４】
2011147575.tif 000006
【図５】
2011147575.tif 000007
【図６】
2011147575.tif 000008